(57)【要約】      （修正有）【課題】簡便に装着でき、装着時の違和感がなく効果的に冷却でき、動き回っても保冷材が脱落することなくしっかりと冷却でき、また体型の異なった人も共用できるような解熱用体温冷却衣の提供する。【解決手段】背中部に保冷材を収納するポケット部を有する冷却衣において、衣類の上部と下部が結合部材で着脱自在に結合し、衣類上部の前身頃４ａ−２、４ｂ−２の胴部が接合部材で左右に開閉自在に接合し、かつ襟部から肩部を通って袖部先端まで（ただし袖部がない場合は襟部から肩部先端まで）が接合部材で開閉自在に接合する。さらに衣類の下部の脚部５ａ、５ｂが接合部材で左右に開閉自在に接合するものである。また、前後身頃が通気性の不織布であり、脇部が織物又は編物の布地のものである。そして、保冷材を収納するポケット部の入り口がゴムで絞りを加えたものである。更に、−２０℃で固くならない保冷材を、背中に装着するものである。【選択図】図１
2006055209.tif 000002
【特許請求の範囲】
【請求項１】
背中部に保冷材を収納するポケット部を有する冷却衣において、衣類上部の前身頃の胴部
が接合部材で左右に開閉自在に接合し、かつ襟部から肩部を通って袖部先端まで（ただし
袖部がない場合は襟部から肩部先端まで）が接合部材で開閉自在に接合する冷却衣。
【請求項２】
衣類の上部と下部が結合部材で着脱自在に結合し、かつ衣類の下部の脚部が接合部材で左
右に開閉自在に接合するものである請求項１の冷却衣。
【請求項３】
前後身頃が通気性の不織布からなる請求項１または２に記載の冷却衣。
【請求項４】
保冷材を収納するポケット部が伸縮部材で絞りを加えたものである請求項１乃至３のいづ
れかに記載の冷却衣。
【請求項５】
−２０℃で固くならず、０℃において流下性のない水溶性高分子樹脂からなるゲル状のも
のを水不透性容器に密閉した保冷材
【請求項６】
背中部のポケット部に収納する保冷材が請求項５の保冷材を使用するものである請求項１
乃至４のいづれかに記載の冷却衣。
【発明の詳細な説明】
【技術分野】
【０００１】
本発明は、発熱時、物理的に体温を冷却させる解熱用体温冷却衣に関する。
【背景技術】
【０００２】
従来、発熱時に、物理的に体温を冷却する方法として、額、後頭部を冷やす氷枕やシー
ト状の貼りつけ剤、わきを冷却する保冷材やシート状の貼りつけ剤がある。しかしながら
、乳幼児は手で払いのけてしまうことが多く、装着時の違和感がなく効果的に冷却できる
ものが望まれている。
さらに、体型の異なった人も共用できるような冷却衣が望まれていた。
【０００３】
この出願の発明に関する先行技術文献情報としては次のものがある。
【特許文献１】特開２００２−３７１４０７
【特許文献２】特開２００２−２２０７１０
【発明の開示】
【発明が解決しようとする課題】
【０００４】
簡便に装着でき、装着時の違和感がなく効果的に冷却でき、動き回っても保冷材が脱落す
ることなくしっかりと冷却でき、また体型の異なった人も共用できるような解熱用体温冷
却衣の提供を目的とする。
【課題を解決するための手段】
【０００５】
上記課題を解決するために、本発明の冷却衣は、背中部に保冷材を収納するポケット部
を有しており、衣類上部の前身頃の胴部が接合部材で左右に開閉自在に接合し、かつ襟部
から肩部を通って袖部先端まで（ただし袖部がない場合は襟部から肩部先端まで）が接合
部材で開閉自在に接合している。また衣類の上部と下部が結合部材で着脱自在に結合し、
衣類の下部の脚部が接合部材で左右に開閉自在に接合するものである。
【０００６】
また、前記した各構成について、前後身頃が通気性の不織布からなるものである。
【０００７】
そして、前記した各構成について、保冷材を収納するポケット部が伸縮部材で絞りを加え
たものである。
【０００８】
更に、前記した各構成について、−２０℃で固くならない保冷材を、背中に装着するもの
である。
【発明の効果】
【０００９】
冷却衣の上に寝かすだけで、起こすことなく簡易に着脱することができ、装着感に優れ
た冷却衣を提供することができる。
また、一つの冷却衣でさまざまな体型の人に対応することができ専用のものが必要でない
ので経済的である。
【発明を実施するための最良の形態】
【００１０】
本発明の冷却衣は衣類上部の前身頃の胴部が接合部材で左右に開閉自在に接合し、かつ襟
部から肩部を通って袖部先端まで（ただし袖部がない場合は襟部から肩部先端まで）が接
合部材で開閉自在に接合する構造になっており、簡易に冷却衣を着脱することができる。
特に、広げた冷却衣の上に寝かすだけで、身体を起こすことなく簡易に着脱することがで
きる。
【００１１】
本発明の冷却衣の接合部材には通常の衣料に用いられているものを使用できる。例えばボ
タン、ファスナー、ひも、面ファスナー等を挙げることができる。このうちひも、面ファ
スナーは結合部位が調節しやすく、腕まわり、胴まわりも寸法を調節できるので、さまざ
まな体型の人に対応でき、また着脱も容易であるので好ましい。
特に面ファスナーはより着脱が容易であり最も好ましい。さらに接合部位が調節できるの
で、保冷材を身体により効果的に密着させるのに都合がよい。
さらに詳しくは、胴部の接合部位は着脱の容易さと接合の確実性から適宜設定すること
ができるが、面ファスナーを用いる場合は相い接合する面ファスナーが２ｘ２ｃｍ程度の
重なりがあれば接合力は確保できる。そして面ファスナーの少なくとも片方の面ファスナ
ーの長さは６乃至１６ｃｍ、幅１乃至４ｃｍのものを、そして相方の面ファスナーの長さ
は２ｃｍ以上が好ましい。長さが６ｃｍより短いと胴回りの調節範囲が狭まり、１６ｃｍ
をこえるものは、保冷材が適所に当らなくなるためである。
襟部から肩部を通って袖部先端までの接合部位における面ファスナーの少なくとも片方
の面ファスナーの長さは３乃至８ｃｍ程度になるように設けることが好ましい。
【００１２】
本発明の保冷剤のポケット部は背面部、腋部、鼠蹊部に設けることが好ましい。背中部
、腋部、鼠蹊部には動脈が通っており、冷却効率のよい部分であり、さらに背中部は冷
却面積を広くとれるので、より冷却に適した部所である。そしてポケット部の人体面側は
メッシュ布等の通気性に富む布帛で構成することが好ましい。
本発明の保冷材を収納するポケット部の伸縮部材の絞りは入り口先端部から５ｍｍ以下、
より好ましくは３０ｍｍ以下の所に水平方向に設けることが好ましい。
入り口先端部に設けるより、５ｍｍ以下の方が挿入ガイドができて、保冷材を挿入しやす
くなる。またゴムの絞り具合は挿入する保冷剤の幅より５ｍｍ程度狭くなるようにしてお
けば、しっかり固定され、動いても保冷剤が飛び出すことは少なくなる。伸縮部材につい
ては、最も汎用しているゴム類が適しているが、これに限定すものではない。
【００１３】
本発明の前後身頃は合成樹脂製不織布を使用することができる。合成樹脂製不織布につい
ては、乾式法、湿式法等のいずれの方式でつくったものでも使用できるが、ポリエステル
、ポリプロピレン、ポリエチレン、ナイロンなどから選択される１種以上のものを数層貼
り合わせたものが望ましい。
とくにスパンボンド法不織布は軽量で伸縮性に富み、通気性もあるのでも好ましい。その
なかでも合繊長繊維を用いた不織布がさらに好ましい。さらにスパンボンド不織布メルト
フロー層の繊維径については、１〜１０μｍがより好ましい。
本発明の通気性の不織布は空隙率が１０〜９０％のものであり、好ましくは２０〜８０％
が好ましく、特に３０〜６０％がより好ましい。
スパンボンド不織布は微細な空隙孔のため湿気、空気は通しやすいが、水は通さない素
材であり、皮膚呼吸を妨げず、また保冷材から発生する結露が染み出さない構造となって
いるので、冷却衣の上着や寝具の濡れを抑えることが出来る。
【００１４】
前後身頃の横腹部分は織物又は編み物の布地を用いることが好ましい。特に綿製の布地
を用いると不織布にくらべて柔らかく、装着感の優れたものになる。
【００１５】
本発明の冷却衣と共に用いる保冷材は−２０℃でも固くならないものを使用する。、固化
するタイプの保冷材では、背中を圧迫し、装着したまま仰向けに寝ることは困難である。
さらに本発明に用いる保冷材は０℃での流下性がないゲル状のものである。ここで流下
性がないとは保冷材に充填されているゲル組成物を０℃にて、水平にしたガラス板に膜厚
１０ｍｍ、幅１５０ｍｍ、奥行き１００ｍｍにスクレーパーにて塗布する。ついで０℃の
部屋にて塗布ガラス板を垂直にして３０分放置したときの流下距離が５ｍｍ以内のものを
いう。０℃にて流下しないものはより低温においても流下しないので、背中を起こした状
態で保冷材を背中部に装着しても、下への偏りが生じがたく、装着感に優れ、また接触有
効面積が確保でき良好に冷却できる。
【００１６】
このような保冷材は水に凝固点降下剤、水溶性高分子樹脂、及びその他保冷材に一般に用
いられる添加剤等を用いてつくることができる。凝固点降下剤としてはエタノール、グリ
セリン、プロピレングリコール、エチレングリコール、塩化カルシウム、食塩などをあげ
ることできる。凝固点降下剤の種類やその添加量は適宜選択できるがプロピレングリコー
ルでは３５％程度添加すればよい。多く添加すると冷却熱容量がすくなくなり冷却力が低
下し、かつコストが上がり好ましくない。
水溶性高分子樹脂としてはポリ（メタ）アクリレート系、ポリビニルアルコール系、ポリ
エチレンオキサイド系、ポリアクリロニトリル系、メチルセルロース系、ＣＭＣ、カルボ
キシビニルポリマー系などをあげることが出来る。流下性にあわせて０．１−５％程度用
いれればよい。
【００１７】
背中用の保冷材については、１００−５００ｇが望ましい。１００ｇを下回ると持続時
間が短く効果が弱い。５００ｇを上回ると乳幼児が立ちあがった時、後にひっくり返る恐
れがあり危険である。乳幼児以外に対してはこの限りではない。また保冷材の重量が重す
ぎると、乳幼児が後ろに転倒する場合があり、適度な重量とすることで、装着性、安全性
を高め、かつ体力の消耗を防止できる。
【実施例】
【００１８】
以下に代表的な実施例を示すが、これらのみに制限されるものではない。
【００１９】
実施例１
下記模式図１−３に示す冷却衣を作成した。
図１は本発明の冷却衣の一例を示す正面の模式図である。すなわち肩部、胴部、脚部そ
れぞれに開閉自在の接合部位を備えており、接合部材で接合している状態である。接合部
材は肩部、脚部は幅２ｃｍ長さ５ｃｍのマジックテープ（登録商標）を、胴部は幅２ｃｍ
、長さ１５ｃｍのマジックテープ（登録商標）を用いた。脚部と胴部は着脱自在であり、
その結合は前身頃胴部と脚部をボタンを用いて止めている。
図２はその背面の模式図である。
図３は接合部位を解放したときの模式図である。
【００２０】
実施例１の冷却衣は左右の肩部、胸部、左右の脚部にそれぞれ開閉自在の接合部位１ａ
、１ｂ、２、３ａ、３ｂを備えており、接合部材（面ファスナー）６ａ−６ｂ、７ａ−７
ｂ、８ａ−８ｂ、９ａ−９ｂ、１０ａ−１０ｂ、１１ａ−１１ｂ、１２ａ−１２ｂ、１３
ａ−１３ｂにて接合することができる。この面ファスナーは肩部、脚部は幅２ｃｍ、長さ
５ｃｍ、胸部は幅２ｃｍ、長さ１５ｃｍである。脚部はボタンにて前身頃上衣と結合して
いる。
布地４ａ−２，４ｂ−２、４ｃ、５ａ、５ｂはポリエステル性スパンボンド不織布（空
隙率３０％）を用いた。布地４ａ−１、４ｂ−１は綿製リブ編み布地（空隙率５０％）で
ある。
背面、脇、鼠蹊部にはポケット部Ｐ３、Ｐ１ａ、Ｐ１ｂ、Ｐ２ａ、Ｐ２ｂが備えられて
いる。ポケット部Ｐ３は幅２０ｃｍ縦２５ｃｍ、のスパンボンド不織布からなり、Ｐ１ａ
、Ｐ１ｂは幅７ｃｍ、縦１０ｃｍの綿製リブ編み布地であり、Ｐ２ａ、Ｐ２ｂは幅５ｃｍ
、縦９ｃｍのスパンボンド不織布である。
ポケット部Ｐ１ａ、Ｐ１ｂには上から３ｃｍのところにゴム製の絞りが施してある。
【００２１】
実施例２  冷却材
精製水７０部にプロピレングリコール３５部を熔解し、カルボキシビニルポリマー（カー
ボポール９８０  ノベオン社製）  ０．５部を加え均一に分散させ、ついでトリエタノー
ルアミン０．４部を加えてゲル状の組成物を得た。これをポリプロピレン袋の容器に入れ
、ふたを熱圧着して密閉し冷却材を得た。この容器としては背中部用は縦１０ｃｍ横２０
ｃｍ厚さ２ｃｍの容器。腋および鼠蹊部用は縦２ｃｍ横３ｃｍ厚さ４ｃｍの容器を用いた
。
【００２２】
【表１】
2006055209.tif 000003
【００２３】
実施例３、比較例１−２
実施例２と同様にして、表１の組成の冷却材をそれぞれ得た。
【００２４】
［評価方法］
実施例１の冷却衣に−２０℃に冷却した各冷却材を収納したものを３歳の児童に装着さ
せた。装着後、１５分間上体を起こしたのち偏りを観察し、ついで仰向けに寝て、装着感
を評価した。
装着感：Ｏ  充分冷却感があり、背中部分に異物感がない  
Ｘ  背中に痛みを感じる
偏り  ：Ｏ  偏りがおきず、背中全体が冷却される
Ｘ  背中の冷却材が下ぶくれに偏り、背中の上部の冷却が不十分。  
評価結果を表１に示す。
【００２５】
表１の結果から、−２０℃にて固化しない冷却材は装着感に優れ、０℃での流下性がな
いものは下ぶくれした偏りもなく、冷却性に優れていることが判る。
また、実施例１の同一冷却衣に実施例２の冷却材を収納したものを、１歳から４歳まで
の児童５人に装着してもらったが、いずれも簡便に、身にあった状態で装着でき、有効に
冷却できた。体型の異なる人でも共通に使用することができ、またこの間における冷却材
のポケットからの飛び出しもなかった。
【産業上の利用可能性】
【００２６】
本発明に係わる冷却衣は簡単に装着でき、装着感にも優れ、冷却効果にも優れる。例えば
心臓疾患患者など長期間の発熱により体力を消耗しているなど速やかに解熱させる必要が
ある人を初め、発熱患者、病気による発熱，手術後の発熱、熱中症や、暑さ防止に使用す
る乳幼児、老人を初め一般の人も使用可能である。
【図面の簡単な説明】
【００２７】
【図１】実施例１の冷却衣の一例を示す正面の模式図である。
【図２】実施例１の冷却衣の一例を示す背面の模式図である。
【図３】実施例１の冷却衣の接合部位を解放状態にしたときの正面の模式図である。
【符号の説明】
【００２８】
１ａ、１ｂ  左右の肩部の接合部位
２          胸部の接合部位
３ａ、３ｂ  左右の脚部の接合部位
４ａ−１、４ｂ−１  左右横腹部の布地
４ａ−２、４ｂ−２  上衣の左右前身頃
４ｃ        後見頃
５ａ、５ｂ  左右の脚部
Ｐ１ａ、Ｐ１ｂ  左右の脇部ポケット
Ｐ２ａ、Ｐ２ｂ  左右の鼠蹊部ポケット
Ｐ３            背面ポケット
６ａ、６ｂ、７ａ、７ｂ、８ａ、８ｂ、９ａ、９ｂ    肩部接合部位の面ファスナー
１０ａ、１０ｂ、１１ａ、１１ｂ    腹部接合部位の面ファスナー
１２ａ、１２ｂ、１３ａ、１３ｂ    脚部接合部位の面ファスナー
１４ａ、１４ｂ              上衣と脚部の結合部材（ボタン）
【図１】
2006055209.tif 000004
【図２】
2006055209.tif 000005
【図３】
2006055209.tif 000006